(57)【要約】      （修正有）【課題】車両などの移動性を有する空間において利用性が高く、かつ、その空間にて発生する生活臭を好適に除去することができる収納容器を提供する。【解決手段】ティッシュペーパーまたはウェットティッシュを収納する収納容器１であって、収納容器１は紙からなり、この紙は筒状に形成され、複数枚重ねられたティッシュペーパーまたはウェットティッシュを収納するとともに、収納容器１は、少なくとも平板と、概略孔を形成する保持腕８とを有する外部の保持具であるホルダ７に挿入された上で、保持具であるホルダ７により保持され、収納容器１の一部は、接着剤を用いて、収納容器１を保持する保持具（ホルダ７）の一部に固定されるか、または、収納容器１の一部に設けられた係止部材により保持具（ホルダ７）に係止されることを特徴とする。【選択図】図５
0003143148.tif 000002
【実用新案登録請求の範囲】
【請求項１】
ティッシュペーパーまたはウェットティッシュを収納する収納容器において、
前記収納容器は紙からなり、この紙は筒状に形成され、複数枚重ねられたティッシュペーパーまたはウェットティッシュを収納するとともに、前記収納容器は、少なくとも平板と概略丸孔を形成する保持腕とを有する外部の保持具に挿入された上で、前記保持具により保持され、前記収納容器の一部は、接着剤を用いて前記収納容器を保持する前記保持具の一部に固定されるか、または、前記収納容器の一部に設けられた係止部材により前記保持具に係止されることを特徴とする収納容器。
【請求項２】
前記収納容器を構成する紙は、光触媒を含む紙であることを特徴とする請求項１に記載の収納容器。
【請求項３】
前記収納容器の底面または側面は、接着剤を用いて、前記保持具のうちの、前記収納容器に接する接触部分に固定されることを特徴とする請求項２に記載の収納容器。
【請求項４】
前記係止部材は、前記収納容器の側面に設けられることを特徴とする請求項２に記載の収納容器。
【請求項５】
前記収納容器は、角錐台、角柱、円錐、および円柱のいずれか１つの形状に形成されることを特徴とする請求項３または４に記載の収納容器。
【請求項６】
前記収納容器の上面には、ティッシュペーパーまたはウェットティッシュを取り出す際に用いられる取り出し口が設けられることを特徴とする請求項５に記載の収納容器。
【考案の詳細な説明】
【技術分野】
【０００１】
本考案は収納容器に係り、特に、ティッシュペーパーまたはウェットティッシュを収納することができるようにした収納容器に関する。
【背景技術】
【０００２】
日常生活において、ティッシュペーパーは日々使用されるものであり、必要不可欠な用品である。例えば一般家庭のみならず、学校や病院、オフィスなど様々な生活空間で、ティッシュペーパーは用いられる。このティッシュペーパーは一般的に箱状の容器に収納されており、ティッシュペーパーは、箱状の容器の一部に設けられた取出し口から適宜取り出される。
【０００３】
なお、ティッシュペーパーを収納する収納容器に関連する技術として、特許文献１のような技術が知られている。特許文献１に提案されている技術によれば、複数枚重ねられたティッシュペーパーが外観筒状の容器に起立した状態で収納され、これにより、置き場所が小さくて済み、意匠的効果に優れ、取り出し易く、しかもケースを無駄にしないようにすることができる。
【特許文献１】特開平８−２５６９４２号公報
【考案の開示】
【考案が解決しようとする課題】
【０００４】
ところで、ティッシュペーパーは、一般家庭などの生活空間の中のうち、例えば車両などの空間においても用いられる。車両などの空間の特徴は、他の生活空間とは異なり、車両などの移動に伴う移動性を有している点にある。そのため、従来の例えば箱状の容器に収納されたティッシュペーパーを車両などの空間で用いると、車両などの移動によってティッシュペーパーを収納する容器自体が簡単に揺れたり、動いてしまうという課題があった。
【０００５】
このような場合、ユーザが、車両などの移動中に、ティッシュペーパーを収納する容器からティッシュを取り出したいと所望したとしても、ユーザは容器自体の揺れや移動によってうまくティッシュを取り出すことができず、ユーザにとって不便であった。このような課題は、特許文献１に提案されている技術では解決することはできない。
【０００６】
また、車両などの空間は、ユーザにとって一般家庭の生活空間と同様に、快適で、かつリラックスすることができる空間であることが望まれる。そのため、車両などの空間では、移動目的以外に、喫煙や食事、あるいは仮眠などの目的でも使用されることが考えられる。移動目的以外の種々の目的にて車両などの空間が使用されると、車両自体が有する臭い以外に、様々な生活臭（例えばタバコの臭いや食事の臭い、あるいは香水の臭いなど）が、車両などの空間に蓄積されてしまう。このような場合に車両などの空間にてティッシュを用いると、知らず知らずのうちにティッシュ自体にも生活臭が付着してしまい、ユーザが不快に感じてしまう。特に、１つの車両を複数人（例えば４人の家族など）で共有する場合には、例えば愛煙家の父親が車両の空間を使用すると、父親の喫煙によって車両内に置かれたティッシュにタバコ臭が付着してしまい、その後に車両を使用する嫌煙家の娘は、タバコ臭が付着したティッシュを使用しなければならなくなる。このようなことは、ユーザにとって好ましいことではない。
【０００７】
本考案は、このような状況に鑑みてなされたものであり、車両などの移動性を有する空間において利用性が高く、かつ、また、光触媒を含む紙で収納容器を形成した場合には、その周辺の空間にて発生する生活臭を好適に除去することができる収納容器を提供することを目的とする。
【課題を解決するための手段】
【０００８】
本考案の収納容器は、上述した課題を解決するために、ティッシュペーパーまたはウェットティッシュを収納する収納容器において、収納容器は紙からなり、この紙は筒状に形成され、複数枚重ねられたティッシュペーパーまたはウェットティッシュを収納するとともに、収納容器は、少なくとも平板と概略丸孔を形成する保持腕とを有する外部の保持具に挿入された上で、保持具により保持され、収納容器の一部は、接着剤を用いて収納容器を保持する保持具の一部に固定されるか、または、収納容器の一部に設けられた係止部材により保持具に係止されることを特徴とする。
【考案の効果】
【０００９】
本考案によれば、車両などの移動性を有する空間において利用性が高く、かつ、また、光触媒を含む紙で収納容器を形成した場合には、その周辺の空間にて発生する生活臭を好適に除去することができる。
【考案を実施するための最良の形態】
【００１０】
以下、本考案の実施の形態について、図面を参照しながら説明する。
【００１１】
ここで、本考案の実施形態について説明する前に、本考案に係る概念について説明する。
【００１２】
従来の例えば箱状の容器に収納されたティッシュペーパーを車両などの空間で用いると、例えば図１に示されるように、車両などの移動によってティッシュペーパーを収納する容器自体が簡単に上下左右方向に揺れたり、動いてしまう。このような場合、ユーザが、車両などの移動中に、ティッシュペーパーを収納する容器からティッシュを取り出したいと所望したとしても、ユーザは容器自体の揺れや移動によってうまくティッシュを取り出すことができず、ユーザにとって不便でものであった。
【００１３】
そこで、本考案においては、一般的に車両などには、飲み物を保持するための保持具であるホルダが設けられていることから、まず、ティッシュペーパーを収納する収納容器の形状を、このホルダに保持可能な形状に形成し、車両内に収納容器を載置する際には、ホルダに収納容器を挿入して保持するようにする。これにより、ティッシュペーパーを収納する収納容器を、移動性を有する車両などの空間にて好適に保持することが可能となり、車両などの移動性を有する空間において利用性を高くすることが可能となる。
【００１４】
また、車両などの空間は、ユーザにとって一般家庭の生活空間と同様に、快適で、かつリラックスすることができる空間であることが望まれる。そのため、移動目的以外の種々の目的にて車両などの空間が使用されると、車両自体が有する臭い以外に、様々な生活臭（例えばタバコの臭いや食事の臭い、あるいは香水の臭いなど）が、車両などの空間に蓄積されてしまう。このような場合に車両などの空間にてティッシュを用いると、知らず知らずのうちにティッシュ自体にも生活臭が付着してしまい、ユーザが不快に感じてしまう。
【００１５】
ここで、近年、光触媒に関する技術が知られている。光触媒は例えば二酸化チタンなどからなり、この光触媒に光（紫外線）が当たると、酸化分解反応と超親水性反応が進行する。これにより、光触媒に接触した有機物などは酸化分解反応によって分解されるとともに、光の照射によって光触媒自体が極めて濡れやすい性質（親水性）を呈することとなり、光触媒表面に薄い水の層を形成させ、曇りを防いだり、汚れを洗い流すセルフクリーニング効果が表れるようになる。そして、この光触媒によって消臭作用、空気浄化作用、および抗菌作用がもたらされる。
【００１６】
最近では、光触媒を無機バインダーと複合化して紙やシートに形成する技術も提案されてきており、例えば日本製紙株式会社により開発された光触媒コート紙などが知られている。そこで、例えば日本製紙株式会社製の光触媒コート紙などを用いて、ティッシュペーパーを収納する収納容器を形成するようにする。これにより、車両などの空間にこの収納容器を載置することで、光触媒による消臭作用、空気浄化作用、および抗菌作用が自動的に働き、その空間にて発生する生活臭を好適に除去することが可能となる。
【００１７】
以下、この概念を用いた本考案の実施形態について説明する。
【００１８】
図２は、本考案に係る収納容器１の外観の構成を表している。例えば図２に示されるように、収納容器１の上面と底面はほぼ正８角形であり、収納容器１として８角錐台を形成している。ティッシュペーパー３は、複数重ねられた上で収納容器１に収納されており、収納容器１の上面の略中央部に設けられた取出し口２から取り出し可能である。なお、収納容器１の上面に設けられた取り出し口２は、ユーザがティッシュペーパー３を容易に取り出すことができさえすればよく、上面のいずれの部分に設けるようにしてもよい。なお、本発明の実施形態においては、収納容器１に収納するものとしてティッシュペーパー３を明示的に記載したが、これ以外にも、例えばウェットティッシュなどを用いるようにしてもよい。
【００１９】
この収納容器１は、例えば日本製紙株式会社製の光触媒コート紙などに代表される、光触媒を無機吸着剤と一体化した紙からなる。
【００２０】
図３は、図２の収納容器１の展開図を表している。図３に示されるように、収納容器１を８角錐台に形成することができるように所要の部分にそれぞれ折り目が付されている。収納容器１を組立てる場合、それらの折り目にて折られつつ、のりしろ部４を接着剤を用いて接着することで、収納容器１は８角錐台に形成される。このとき、上面に設けられる挿入口５に、挿入片６が挿入される。
【００２１】
次に、図４を用いて、車両などに設けられている保持具（保持部材）としてのホルダ７に、収納容器１を保持する保持動作を説明する。なお、ホルダ７は、例えば飲み物の缶などを保持するための保持具であり、底面を構成する平板と、保持腕８により形成される概略丸孔を有する。図４に示されるように、ティッシュペーパー３を収納する収納容器１は、例えば車両などに設けられているホルダ７の保持腕８内に矢印Ｘの方向に挿入される。そして、例えば図５に示されるように、ホルダ７の保持腕８内に収納容器１が保持される。このとき、収納容器１がホルダ７の保持腕８内に十分に保持されるように、収納容器１の最大径Ｍは、保持腕８の径Ｌよりも大きめに設定されている（図４）。
【００２２】
これにより、車両などの移動によってティッシュペーパーを収納する収納容器１自体が上下左右方向に揺れたり、動いてしまうことを防止することができる。
【００２３】
なお、本考案の実施形態においては、収納容器１の形状として８角錐台を明示的に記載したが、このような場合に限られず、例えば８角錐台以外の角錐台（例えば６角錐台や１０角錐台など）でもよいし、角柱や円柱、円錐の形状にするようにしてもよい。すなわち、収納容器１の形状は、ホルダ７の保持腕８によって保持することが可能な形状でありさえすればよい。
【００２４】
本考案の実施形態においては、ティッシュペーパー３（またはウェットティッシュ）を収納する収納容器１において、収納容器１は光触媒を含む紙（光触媒コート紙）からなり、この紙は筒状（例えば角錐台、角柱、円錐、または円柱）に形成され、複数枚重ねられたティッシュペーパー３（またはウェットティッシュ）を収納するとともに、収納容器１は、少なくとも平板と、概略孔を形成する保持腕８とを有する外部の保持具であるホルダ７に挿入された上で、ホルダ７により保持される。これにより、ティッシュペーパー３を収納する収納容器１を、移動性を有する車両などの空間にて好適に保持することができ、車両などの移動性を有する空間において利用性を高くすることができる。
【００２５】
また、光触媒を含む紙で収納容器を形成した場合、この収納容器１を載置することで、光触媒による消臭作用、空気浄化作用、および抗菌作用が自動的に働き、その周辺の空間にて発生する生活臭を好適に除去することができる。すなわち、例えば朝から夕方まで車両などの空間に収納容器１を載置することで、その間に使用されるタバコなどによって発生する生活臭を自動的に除去することができる。従って、ティッシュペーパー３を収納する収納容器１の利用性を高めると同時に、収納容器１を使用する使用環境を改善することができる。
【００２６】
なお、図５に示されるように収納容器１を保持具であるホルダ７に保持したとしても、ユーザがより強い力でティッシュペーパー３を引き出そうとすることで、ホルダ７の保持腕８に保持されている収納容器１自体が保持腕８から抜け出てしまう場合も考えられる。このようなことが起きてしまうと、ユーザにとって不便となる。そこで、例えば図６に示されるように、ホルダ７の保持腕８に保持される収納容器１の底面（あるいは側面など）に予め例えば両面接着テープ９の一方を接着し、両面接着テープ９の他方を用いてホルダ７の底面など（換言すれば、保持具であるホルダ７のうちの、収納容器１に接する接触部分）に接着して固定（あるいは補強）するようにしてもよい。なお、収納容器１の底面に接着される両面接着テープ９の一方の接着剤の強度は、両面接着テープ９自体を収納容器１により強固に接着するために強めにし、一方、ホルダ７の底面に接着する両面接着テープ９の他方の接着剤の強度は、それよりも弱くするように設定する。これにより、車両内などでの収納容器１の使い勝手をよくすることができる。
【００２７】
また、接着剤以外の方法にて収納容器１をホルダ７に固定するようにしてもよい。例えば図７（Ａ）および（Ｂ）に示されるように、収納容器１の側面などに予め係止部材１０−１乃至１０−２を設けるようにしてもよい。これにより、図８に示されるように、ホルダ７の保持腕８に収納容器１を挿入した後、ユーザがより強い力でティッシュペーパー３を矢印Ｙ方向に引き出そうとした場合、この係止部材１０−１乃至１０−２が保持腕８に引っ掛かり、係止部材１０−１乃至１０−２によって収納容器１がホルダ７の保持腕８に係止されることで、収納容器１のホルダ７からの離脱を防止するようにしてもよい。
【００２８】
なお、図３の展開図により示される収納容器１を組み立てキットとして用いるようにしてもよい。具体的には、光触媒を無機吸着剤と一体化して紙（例えば光触媒コート紙など）を用いて、プリンタ（図示せず）によって図３の展開図の形状で出力し、その展開図の形状となった紙を組立てキットとして用いて収納容器１を形成するようにしてもよい。
【図面の簡単な説明】
【００２９】
【図１】従来の箱状の容器に収納されたティッシュペーパーを車両などの空間で使用した場合における問題点を説明する説明図である。
【図２】本考案に係る収納容器の外観の構成を示す図である。
【図３】本考案に係る収納容器の展開図を示す図である。
【図４】車両などに設けられている保持具としてのホルダに、収納容器を保持する保持動作を説明する説明図である。
【図５】ホルダの保持腕内に保持される収納容器の外観を示す図である。
【図６】収納容器の底面に接着される両面テープを示す図である。
【図７】収納容器に設けられる係止部材を示す図である。
【図８】ホルダに保持される収納容器の係止動作を説明する説明図である。
【符号の説明】
【００３０】
１…収納容器
２…取り出し口
３…ティッシュペーパー
４…のりしろ部
５…挿入口
６…挿入片
７…ホルダ
８…保持腕
９…両面テープ
１０（１０−１乃至１０−２）…係止部材
【図１】
0003143148.tif 000003
【図２】
0003143148.tif 000004
【図３】
0003143148.tif 000005
【図４】
0003143148.tif 000006
【図５】
0003143148.tif 000007
【図６】
0003143148.tif 000008
【図７】
0003143148.tif 000009
【図８】
0003143148.tif 000010